(57)【要約】【課題】ＦＰＤを使用する場合に、操作者が指示した撮影条件に適した撮影駆動制御を行う。【解決手段】  Ｘ線像をＴＦＴを並設したＦＰＤ２を用いて撮影するＸ線画像撮影装置において、長時間撮影モード、高線量撮影動作モード等に対し曝射時間などの撮影条件を入力装置１９により入力すると、入力された撮影条件に応じてＦＰＤ２の復帰処理を行う。【選択図】        図１
2005118347.tif 000002
【特許請求の範囲】
【請求項１】
Ｘ線像を光電変換素子を並設した二次元センサを用いて撮影するＸ線画像撮影装置において、複数の撮影動作モードに対し撮影条件を指示する撮影指示手段と、該指示された前記撮影条件に応じて前記センサの復帰処理条件を変更する制御手段とを有することを特徴とするデジタルＸ線画像撮影装置。
【請求項２】
前記撮影動作モードは長時間撮影モード及び高線量撮影モードを含むことを特徴とする請求項１に記載のデジタルＸ線画像撮影装置。
【請求項３】
前記センサの復帰処理条件は、前記センサに対するリフレッシュ動作、初期化動作、待機動作の組合わせとしたことを特徴とする請求項１に記載のデジタルＸ線画像撮影装置。
【請求項４】
前記制御手段は、前記撮影条件を前記長時間撮影動作モードに対応した曝射時間とすると、該曝射時間を予め設定した閾値と比較し指示された撮影時間に応じて前記撮影動作モードに適した前記復帰処理条件を変更することにより長時間撮影を実現することを特徴とする請求項２に記載のデジタルＸ線画像撮影装置。
【請求項５】
前記制御手段は、前記復帰処理条件による待機動作時間を変更し、前記センサに電圧を印加してない状態から暗電流量が少なくなるようにすることを特徴とする請求項４に記載のデジタルＸ線画像撮影装置。
【請求項６】
前記制御手段は、前記復帰処理条件による待機動作時間を変更し、前記センサの駆動シーケンスにおいて予め設定した駆動モードに従うことを特徴とする請求項４に記載のデジタルＸ線画像撮影装置。
【請求項７】
前記制御手段は、前記長時間撮影又は高線量撮影を実施した後に、前記センサの復帰処理条件を実行することを特徴とする請求項２に記載のデジタルＸ線画像撮影装置。
【請求項８】
前記制御手段は、前記高線量撮影時に画像の特徴抽出を実施し、前記センサの出力値によって復帰処理を決定した場合に前記復帰処理条件を実行することを特徴とする請求項２に記載のデジタルＸ線画像撮影装置。
【請求項９】
前記制御手段は、前記センサの復帰処理条件として前記センサに電圧を印加しない状態を少なくとも１秒以上保持し、その後に前記リフレッシュ動作を再開することで前記センサの残像を消去することを特徴とする請求項３に記載のデジタルＸ線画像撮影装置。
【請求項１０】
Ｘ線像を光電変換素子を並設した二次元センサを用いて撮影するＸ線画像撮影装置において、撮影の準備駆動を制御するために撮影データベースにより撮影条件を指示するステップと、該指示された撮影条件により駆動パラメータを前記撮影データベースから取得するステップと、前記駆動パラメータによりセンサ駆動制御方法を切換える制御ステップとをコンピュータに実行させることを特徴とするデジタルＸ線画像撮影装置の駆動制御プログラム。
【請求項１１】
前記制御ステップにおいて、前記駆動制御の実施後に撮影時間を予め設定した閾値と比較し、前記センサの回復処理が必要と判断した場合に回復駆動させることを特徴とする請求項１０に記載のデジタルＸ線画像撮影装置の駆動制御プログラム。
【請求項１２】
前記制御ステップは駆動制御の実施後に撮影画像の最大画素値を予め設定した閾値と比較し、前記センサの回復処理が必要と判断した場合に回復駆動させることを特徴とする請求項１０に記載のデジタルＸ線画像撮影装置の駆動制御プログラム。
【発明の詳細な説明】
【技術分野】
【０００１】
本発明は、撮影モードの変更を可能とするＸ線撮影装置及びその駆動制御プログラムに関するものである。
【背景技術】
【０００２】
従来から医用診断を目的としたＸ線撮影には、増感紙とＸ線写真フィルムを組み合わせたフィルムスクリーンシステムが広く用いられている。Ｘ線撮影されたフィルム画像は、シャーカステンに掛けて観察し、診断部位を観察し易い濃度域のコントラストとなるようにフィルムが設計されているが、撮影条件がずれると露光過剰や露光不足になり易く、診断に悪影響を及ぼす虞れがある。
【０００３】
近年では、Ｘ線の強度に比例した電気信号に変換する平面センサとして、ＦＰＤ（Flat Panel Detector）を採用したＸ線デジタル撮影装置が使用され始めている。この撮影装置は画像処理技術によって画像の特徴を抽出するため、従来では問題のあった露光調整の問題を解決することができ、また画像強調等の画像処理により診断能を向上させる機能も備えている。
【０００４】
この種のＦＰＤを使用した場合には、暗電流によるノイズ成分がオフセットとして画像に加わるため、オフセットを補正することが望ましい。一般に、オフセットノイズ（ＦＰＮ：固定パターンノイズ）はセンサの蓄積時間の関数として表され、オフセット補正方法としては特許文献１に示すように、ＦＰＤに入力した蓄積時間に相当するＦＰＮ画像をメモリに記憶し、撮影画像から引くことにより補正する手法が知られている。
【０００５】
【特許文献１】特開平１０−２０８０１６号公報
【発明の開示】
【発明が解決しようとする課題】
【０００６】
しかしながら上述したオフセット補正方法においては、例えば長時間撮影等の特殊な撮影を実施した場合には、暗電流によるノイズ成分の条件が変化するため、欠陥画素のような振る舞いをする素子が出現し、自動露光調整において画像処理条件が変化するため、補正エラーが発生し、手動での調整が必要となったり、診断に影響を与える虞れがある。
【０００７】
そこで、ＦＰＤの動作温度変化や駆動時間を補正回路に入力し、補正方法を変化させる方法も知られているが、実時間で処理させるためにはハードウェアによって実現させるため、コストが高くなってしまう等の問題点がある。
【０００８】
本発明の目的は、撮影動作モードに応じて、二次元センサの復帰処理条件を変更して、ノイズを減少すると共に、センサの長寿命化を図るデジタルＸ線画像撮影装置及びその駆動制御プログラムを提供することにある。
【課題を解決するための手段】
【０００９】
上記目的を達成するための本発明に係るデジタルＸ線画像撮影装置は、Ｘ線像を光電変換素子を並設した二次元センサを用いて撮影するＸ線画像撮影装置において、複数の撮影動作モードに対し撮影条件を指示する撮影指示手段と、該指示された前記撮影条件に応じて前記センサの復帰処理条件を変更する制御手段とを有することを特徴とする。
【００１０】
本発明に係るデジタルＸ線画像撮影装置の駆動制御プログラムは、Ｘ線像を光電変換素子を並設した二次元センサを用いて撮影するＸ線画像撮影装置において、撮影の準備駆動を制御するために撮影データベースにより撮影条件を指示するステップと、該指示された撮影条件により駆動パラメータを前記撮影データベースから取得するステップと、前記駆動パラメータによりセンサ駆動制御方法を切換える制御ステップとをコンピュータに実行させることを特徴とする。
【発明の効果】
【００１１】
本発明に係るデジタルＸ線画像撮影装置及びその駆動制御プログラムによれば、撮影動作モードに対応して復帰処理条件を変更して、センサの最適な駆動を行って撮影時の画像の画質を調整し、センサの長寿命化を図る。
【００１２】
また、長時間撮影などの特殊撮影のために、撮影パラメータのデータベースを別に用意することを省くと共に、センサの駆動回数を減少し長寿命化を図る。
【００１３】
また、撮影した画像の撮影条件或いは画像解析により、センサの復帰処理を実行し、以降の撮影画像への影響を少なくする。
【発明を実施するための最良の形態】
【００１４】
図１は本実施例のブロック構成図を示し、医療用デジタルＸ線画像撮影装置１は、蛍光体及び大画面光電変換装置を備えたＴＦＴ(thin-film transistor)を使用した二次元センサであるＦＰＤ２と、画像を蓄積する画像読取制御部３、ＣＰＵ４、制御プログラムを記憶するＲＡＭ５、ディスクインタフェース６、操作者と通信を行うユーザインタフェース７、外部装置との通信用のＬＡＮインタフェース８から構成されている。ＲＡＭ５内には、システム制御プログラム９と撮影画像を一時格納するＲＡＭ１０が設けられている。また、ディスクインタフェース６には撮影画像、制御プログラム９、補正情報等を蓄積するハードディスク１１が接続されている。
【００１５】
また、ＦＰＤ２と画像読取制御部３は電源、画像転送及び制御信号用のデータ線１２を介して接続され、画像撮影制御部３、ＣＰＵ４、ＲＡＭ５、ディスクインタフェース６、ユーザインタフェース７、ＬＡＮインタフェース８は相互に内部バス１３により接続されている。
【００１６】
更に、ＬＡＮインタフェース８はＬＡＮ１４を介して外部の撮影オーダを受信するオーダリング装置１５、撮影済みの画像を診断に供するために出力する外部機器のプリンタ１６、ＰＡＣＳ１７に接続されている。更に、ユーザインタフェース７には、表示用ディスプレイ装置１８及びキーボード、マウス等の入力装置１９が接続されている。勿論、表示用ディスプレイ装置１８、入力装置１９はタッチパネル式としてもよい。
【００１７】
画像読取制御部３は同期信号線２０を介して外部のＸ線発生制御部２１に接続され、このＸ線発生制御部２１はＸ線管球２２及び曝射スイッチ２３に接続されている。
【００１８】
撮影に際しては、先ずデジタルＸ線画像撮影装置１のＣＰＵ４は、図示しない放射線科情報システム（ＲＩＳ）からのオーダリング情報をオーダリング装置１５から受信する。
【００１９】
図２はディスプレイ装置１８の画面を示しており、患者ＩＤ、患者氏名、撮影部位のリストが表示されており、オーダリング装置１５から受信したオーダリング情報の一覧を表示している。デジタルＸ線画像撮影装置１の操作者である放射線技師は、ディスプレイ装置１８の表示部３１に表示される検査項目を入力装置１９を介して入力すると、ディスプレイ装置１８の画面には、図３に示すような詳細な撮影オーダ情報が表示される。
【００２０】
このディスプレイ装置１８の画面には、表示部３１において選択された検査項目を操作者に提示するため、患者情報として表示部４１に例えば患者ＩＤ、氏名、生年月日等を表示する。また、オーダリング装置１５から受信した撮影部位で構成される撮影オーダを表示する表示部４２が設けられている。更に、撮影オーダの撮影条件を表示する表示部４３、デジタルＸ線画像撮影装置１の状態を表示する表示部４４、長時間撮影駆動釦４５が設けられている。
【００２１】
操作者が表示部４２の撮影オーダ釦をクリックすることにより、制御プログラム９によってハードディスク１１内のデータベースに記憶している個別の撮影方法に適した画像処理パラメータや撮影条件を読み出し、使用する撮影条件として決定し、撮影制御に使用する。ＣＰＵ４は撮影作業に入り、表示部４２に示すオーダリング情報の１番目の撮影部位である「胸部正面」の撮影オーダ釦を選択状態にする。
【００２２】
操作者は撮影する患者ＰをＦＰＤ２とＸ線管球２２との間に位置させ、撮影姿勢に整位する。その間に、制御プログラム９によりＣＰＵ４はＦＰＤ２に電圧を加え、ＦＰＤ２でＸ線撮影が行えるように撮影準備のコマンドを発信する。制御プログラム９はそのコマンドを受信し、ＦＰＤ２をＸ線撮影可能な状態に移行させる。つまり、暗電流と呼ばれる光と無関係に発生するノイズ成分が低減するまで数秒の待機を経て、制御プログラム９はＦＰＤ２がＸ線撮影可能な状態になったことを検知すると、表示部４４に「ＲＥＡＤＹ」と表示する。
【００２３】
また、デジタルＸ線画像撮影装置１においては、光電変換素子に電圧を印加した直後は暗電流が多く流れる。つまり、電圧を印加してからの時間経過を監視し、暗電流が低減してから撮影を行うことにより、ノイズ成分の少ないＸ線画像を取得することができる。つまり、この暗電流を低減させているときには、表示部４４に上述したようなＲＥＡＤＹ状態である旨を表示する。
【００２４】
続いて、Ｘ線照射後にＦＰＤ２の固定パターンノイズのＦＰＮ像を取得し、得られたＸ線画像からＦＰＮ像を減算し、ＦＰＮの影響を除いたＸ線撮影画像を取得する。
【００２５】
また、本実施例のようにＴＦＴを使用したＦＰＤ２においては、電圧を印加した時間によりＴＦＴの寿命を決定付けられるため、常にＴＦＴをオンにしたままにしておくと転送能力が劣化する。結果として、ＦＰＤ２の感度低下という現象を引き起こすため、なるべくはＴＦＴをオンにする時間を短時間とするような駆動方法が望ましい。
【００２６】
例えば、図４に示すような駆動タイミングチャート図とした場合には、暗電流が小さくなるまでＦＰＤ２に蓄積した電荷を吐き出す１回のリフレッシュ動作（Ｒ）と、暗電流を吐き出すためにＴＦＴのオン／オフを行う２回の初期化動作（Ｉ）を行った後に、ＴＦＴをオフにした状態で保持する１回の待機動作（Ｗ）を行うと、待機動作（Ｗ）を行わない場合と比較してＴＦＴの駆動回数が減少するため、ＦＰＤ２の寿命つまり信頼性の向上に寄与する。このように、暗電流を低減させるための準備駆動を繰り返して行い、適当な時間が経過すると撮影に適切な暗電流量になったと判断し、上述したように表示部４４において操作者にＦＰＤ２が撮影ＲＥＡＤＹである旨を表示する。
【００２７】
本実施例においては、例えば５ｍ秒〜１０００ｍ秒の通常の短時間撮影の場合には、上述の撮影ＲＥＡＤＹ状態となるまでの準備駆動時間を１０秒と定義している。この１０秒間を上述のようにリフレッシュ動作（Ｒ）、初期化動作（Ｉ）、待機動作（Ｗ）を繰り返し、暗電流を吐き出して撮影待ちをしている。
【００２８】
操作者はディスプレイ装置１８の表示部４４において、ＦＰＤ２が撮影ＲＥＡＤＹの状態であることを確認した後に曝射スイッチ２３を押し、Ｘ線を発生させるトリガをシステムに入力する。この曝射スイッチ２３を押すことにより発生する曝射信号は、同期信号線２０を介して画像読取制御部３に入力される。そして、この画像読取制御部３では制御信号の状態でＦＰＤ２の駆動タイミングを合わせて蓄積動作（Ｓ）を開始し、同時に同期信号線２０を介して曝射許可信号を発生させる。この曝射許可信号はＸ線発生制御部２１に戻され、Ｘ線発生制御部２１はＸ線管球２２からＸ線を発生させる。
【００２９】
患者Ｐを透過したＸ線像は、蛍光体を介してＦＰＤ２においてデジタルデータとして取得され、画像読取制御部３に転送される。ＣＰＵ４は制御プログラム９を実行し、ユーザインタフェース７を介してディスプレイ装置１８の画面を図５に示すように表示し、撮影前に決定された画像処理パラメータを使用し撮影画像を処理する。
【００３０】
ＣＰＵ４は画像読取制御部３から取得した画像データをディスプレイ装置１８の表示部５１、表示部５２にＸ線発生条件を表示すると共に、ディスクインタフェース６を介してハードディスク１１に記憶する。また、表示部５３では濃度調整パラメータ、表示部５４ではコントラスト調整パラメータが設定できるようにされ、更に次撮影釦５５、パラメータを保存するためのパラメータ保存釦５６が画面上に設けられている。
【００３１】
そして、ＣＰＵ４は制御プログラム９により画像解析を行い、画像の濃度を自動的に解析する。もし、表示部５１に表示される画像の自動濃度調整に問題がある場合には、操作者は表示部５３、５４のパラメータを調節することにより撮影画像の濃度、コントラストを変更することができる。
【００３２】
そして、操作者は図５に示す画面において撮影済み画像の確認を終えると、次の撮影を行うために、次撮影釦５５をクリックすることにより図３に示す画面に戻り、ユーザインタフェース７は要求された次の撮影部位を選択する。
【００３３】
長時間撮影を行う場合には、例えば体格が良い患者では、通常のＸ線量では透過線量が不十分であり、診断に十分な撮影画像が取得できないことがある。このような場合には、透過線量をモニタしてＸ線照射を停止させるフォトタイマ等の装置を使用したり、予め通常よりも長時間、例えば１２００ｍ秒の撮影時間を設定する。長時間撮影を行う際には、Ｘ線量変更時に長時間撮影駆動釦４５をクリックする。
【００３４】
また、呼吸動態撮影のように、撮影中に呼吸を行う様子を撮影する機能的画像を撮影する場合にも、例えば３０００ｍ秒の長時間撮影の撮影方法が使用される。この長時間撮影の設定は、表示部４３に表示された撮影条件のうち、Ｘ線照射時間設定を増加させたり、図示しない長時間指示釦をクリックすることにより、Ｘ線管球２２に対してＸ線の発生時間を長くし、それに応じて制御プログラム９はＦＰＤ２の蓄積時間の設定を行う。
【００３５】
しかし長時間撮影を実施した場合には、蓄積時間が長くなると共に欠陥画素のように出力が安定せず、ＦＰＮ補正が正確に機能せず、補正エラーを発生する画素が出現する。このような１０００ｍ秒を超える長時間撮影の場合には、ＲＥＡＤＹ状態までの待ち時間として例えば３０秒間の準備駆動を行うと、暗電流の状態が１０秒の準備駆動に比較して少なくなるため、ＦＰＤ２の有効出力値が増加したり、安定することが知られている。
【００３６】
しかし、上述したようにＴＦＴをいたずらに劣化させないために、図６に示すような駆動タイミングチャート図とした場合には待機動作（Ｗ）を２回とし、３０秒間の準備駆動を行うと同程度に、暗電流の状態を少なくすることができる。
【００３７】
また、高線量撮影を実施した場合には、Ｘ線がＦＰＤ２に直接到達する素抜け部分と、患者Ｐを透過して到達する画像部分を比較すると、電荷の蓄積量に大きな差が発生する。このような場合には、素抜け部ではＦＰＤ２の能力を飽和する電荷を蓄積するため、通常のリフレッシュ動作（Ｒ）では電荷を吐き出し切れずに、次の撮影画像に残像が出る等の悪影響が出ることがある。また、ＦＰＤ２の出力が飽和したか否かは、撮影画像の濃度解析の実施時に、画素値が予め設定した閾値を超えたか否か比較する等の手法で判別する。
【００３８】
このように、ＦＰＤ２が長時間撮影或いは高線量撮影を実施したことを検知した場合に、ＦＰＤ２の復帰処理を実行する。例えば、上述のような高線量の撮影や長時間撮影を実施した場合には、長時間撮影が実施されたことは蓄積時間で検知することができ、高線量撮影は画像解析手段を介して検知することができる。
【００３９】
制御プログラム９の作動によって検知し、復帰処理が必要と判断した場合には、ＦＰＤ２を復帰させるための駆動を行う。復帰のための駆動は、例えば一旦、ＴＦＴの電圧を１〜３秒間オフにして、再び電圧印加後にリフレッシュ動作（Ｒ）、初期化動作（Ｉ）、待機動作（Ｗ）を繰り返す。次の撮影時間に応じて、暗電流が減少するまで撮影準備モードとし、その後に撮影ＲＥＡＤＹ状態とするように制御する。
【００４０】
撮影オーダの全てが完了するまで、操作者に上述と同様の撮影工程を繰り返し、全ての撮影が完了すると、次の撮影が存在しないため、ＣＰＵ４は次撮影釦４４の表示を「検査終了」と表示し、操作者がこの検出終了釦（４４）をクリックすることにより、患者Ｐの検査を終了することができる。
【００４１】
検査が終了すると、制御プログラム９はハードディスク１１に記憶した撮影条件及び撮影実施情報をオーダリング装置１５に送信する。制御プログラム９は予め決められた通信プロトコルに従い、オーダリング装置１５に検査の撮影が終了したことを送信する。
【００４２】
また、制御プログラム９は撮影済み画像を上述の撮影条件や撮影実施情報を付帯情報とした画像データを、ＤＩＣＯＭと呼ばれる医療用の標準通信プロトコルに従って、外部装置にまとめて出力する。撮影技師は撮影済みの画像を確認するため、デジタルＸ線画像撮影装置１を離れてディスプレイ装置１８で診断画像の確認作業や、出力したフィルムを確認する作業を行い、画像は医師によって診断に使用される。
【００４３】
続いて、次の患者の検査を開始する場合には、ＦＰＤ２を撮影準備状態にするが、通常は次の撮影準備まで作業待時間があることや、次の患者が到着していないこともある。そこで、検査が終了すると制御プログラム９により、一旦、ＦＰＤ２の電圧をオフにし、ＦＰＤ２の信頼性が劣化させないようにする。
【００４４】
図７は撮影手順のフローチャート図を示し、操作者が予め設定された撮影条件を変更した場合に、ＦＰＤ２の駆動方法を変更する方法について説明する。先ず、操作者が図２に示すディスプレイ装置１８の表示部３１の撮影部位を示す釦をクリックし、次に操作者は患者の体格によって線量を変更する。この際に、線量が予め設定した閾値を超えた場合には、ＦＰＤ２の暗電流を減少させる駆動方法に切換えるように制御する。
【００４５】
そして、操作者が検査開始を指示すると、ステップＳ１００において患者データ及び撮影オーダをオーダリング装置１５から取得して、ディスプレイ装置１８の画面上に表示する。次に、ステップＳ１０１に進み、操作者が撮影オーダに従って表示部３１の撮影部位を示す釦をクリックすると、制御プログラム９により撮影パラメータを格納するデータベースから撮影条件及び画像処理パラメータを取得してＲＡＭ５に格納し、ＦＰＤ２をＲＥＡＤＹ状態にするため、ステップＳ１０２に進み表示部４４に「ＲＥＡＤＹ」と表示する。
【００４６】
続いて、ステップＳ１０３において撮影条件の入力値を確認し、ステップＳ１０４において撮影準備駆動を開始する。例えば、腹部撮影において７００ｍ秒の撮影をする場合には、準備駆動として図４に示すようにリフレッシュ動作（Ｒ）、初期化動作（Ｉ）、待機動作（Ｗ）を実行する。
【００４７】
次に、ステップＳ１０５において、予め設定したタイマ値と比較し、このタイマ値に満たない場合には、上述の準備駆動を繰り返すためにステップＳ１０３に戻る。タイマ値よりも準備駆動に掛けた時間が長くなった場合には、十分に暗電流が減少したものとしてステップＳ１０６に進み、表示部４４に撮影可能である旨の「ＲＥＡＤＹ」と表示する。
【００４８】
続いてステップＳ１０７に進み、曝射スイッチ２３が押されているか否かを判断する。曝射スイッチ２３が押されている場合には、ステップＳ１１０に進み撮影動作を実行するが、押されてない場合にはステップＳ１０８に進み、操作者が撮影条件を変更しているか否かを判断する。
【００４９】
撮影条件の変更がない場合にはステップＳ１０９に進んで準備駆動を実行し、ステップＳ１０７に戻り、曝射スイッチ２３が押されるまで再度準備駆動を繰り返す。ステップＳ１０８において撮影条件の変更を検出した場合にはステップＳ１０２に戻り、準備中である旨を表示し撮影準備駆動をし直す。
【００５０】
例えば、操作者が長時間撮影を行うため、撮影時間を１２００ｍ秒に変更すると、ステップＳ１０３において１０００ｍ秒の閾値と比較し、長時間撮影用の３０秒の準備駆動を実行するため、変更したパラメータに従って、ＲＡＭ５上のタイマ値、及び駆動パラメータを書き換える。ステップＳ１０４の準備駆動では、図６に示すようにリフレッシュ動作（Ｒ）、初期化動作（Ｉ）、待機動作（Ｗ）、待機動作（Ｗ）のように駆動方法を変更して、タイマが満了するまで準備駆動を繰り返すように制御する。その後に、上述したように曝射スイッチ２３と比較を行い、曝射スイッチ２３或いは画面上の撮影条件が変更されるまで撮影準備駆動を繰り返す。曝射スイッチ２３が押されるとステップＳ１０７で検知し、ステップＳ１１０に進む。
【００５１】
以上のプログラム工程で最適な駆動パラメータを使用し、ステップＳ１１０において、撮影用の駆動、例えばリフレッシュ動作（Ｒ）、初期化動作（Ｉ）を実行し、ステップＳ１１１において、Ｘ線照射タイミングに同期してＸ線画像とＦＰＮ２からのデータを読み出した後に、ステップＳ１１２において補正画像を取得する。続いてステップＳ１１３において、上述の復帰駆動が必要か否かを判断するための画像データを解析し、例えば最大画素値が予め設定した閾値よりも大きい場合には、高線量撮影が実施されたために復帰処理が必要と判断し、ステップＳ１１４で復帰処理を実行する。
【００５２】
復帰処理を必要としない場合にはステップＳ１１５に進み、検査オーダの撮影が終了したか否かを判断し、全ての撮影が終了するとステップＳ１１６に進み、電源をオフにする。検査オーダが終了していなければステップＳ１０１に戻り、全ての撮影が終了するまで撮影を上述の工程を繰り返す。以上のステップにより、撮影時間に応じたセンサの制御を実現し、長時間撮影を実施した場合には復帰処理を行うように制御する。
【産業上の利用可能性】
【００５３】
実施例においては、ハードディスクに記憶した制御プログラム９をＲＡＭ５に転送し、ＣＰＵ４で実行する場合について説明したが、本発明はこれに限定されるものではなく、制御プログラム９は任意の記憶媒体を用いて実現してもよく、また同様の動作をする回路で実現することができる。なお、実施例においては複数の機器から構成されるシステムに適用しても、１つの機器から成る装置に適用してもよい。
【００５４】
また、本実施例の機能を実現するソフトウェアのプログラムコードを記録した記録媒体をシステム或いは装置に供給し、そのシステム或いは装置のコンピュータ又はＣＰＵが記録媒体に格納されたプログラムコードを、読み出し実行することによっても達成されることは云うまでもない。この場合には、記録媒体から読み出されたプログラムコード自体が、上述した実施例の機能を実現することになり、そのプログラムコードを記録した記録媒体は本発明を構成することになる。
【００５５】
プログラムコードを供給するための記録媒体としては、例えばフロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００５６】
また、コンピュータが読み出したプログラムコードを実行することにより、上述した実施例の機能が実現されるだけでなく、そのプログラムコードの指示に基づいて、コンピュータ上で稼働しているＯＳ等が実際の処理の一部又は全部を行い、その処理によって上述した実施例の機能が実現することもできる。
【００５７】
更に、記録媒体から読み出されたプログラムコードが、コンピュータに挿入された機能拡張ボードやコンピュータに接続された機能拡張ユニットに備わるメモリに書き込まれた後に、そのプログラムコードの指示に基づいて、その機能拡張ボードや機能拡張ユニットに備わるＣＰＵなどが実際の処理の一部又は全部を行い、その処理によって上述した実施例の機能が実現することもできる。
【００５８】
なお、上述した実施例の機能を実現するソフトウェアのプログラムコードを記録した記憶媒体から、そのプログラムをインターネット等の通信ラインを介して要求者にそのプログラムを配信する場合にも適用可能である。
【図面の簡単な説明】
【００５９】
【図１】デジタルＸ線画像撮影装置のブロック構成図である。
【図２】ディスプレイ装置の正面図である。
【図３】ディスプレイ装置の正面図である。
【図４】短時間撮影の準備駆動を示す駆動タイミングチャート図である。
【図５】ディスプレイ装置の正面図である。
【図６】長時間撮影の準備駆動を示す駆動タイミングチャート図である。
【図７】撮影手順のフローチャート図である。
【符号の説明】
【００６０】
１  デジタルＸ線画像撮影装置
２  ＦＰＤ
３  画像読取制御部
４  ＣＰＵ
５、１０  ＲＡＭ
９  制御プログラム
１１  ハードディスク
１４  ＬＡＮ
１５  オーダリング装置
１６  プリンタ
１８  ディスプレイ装置
１９  入力装置
２１  Ｘ線発生制御部
２２  Ｘ線管球
２３  曝射スイッチ
【図１】
2005118347.tif 000003
【図２】
2005118347.tif 000004
【図３】
2005118347.tif 000005
【図４】
2005118347.tif 000006
【図５】
2005118347.tif 000007
【図６】
2005118347.tif 000008
【図７】
2005118347.tif 000009